(57)【要約】【課題】より効率的に医療機関における各種情報に基づいて統計分析を実施することが可能な医療検査マネジメントシステム、医療検査マネジメント方法および医療検査マネジメントプログラムである。【解決手段】医療検査マネジメントシステム１は、医療機関における情報の統計分析の分析対象と分類方法とを指定する分析方法指定手段６と、前記医療機関における情報で構成される分析基礎情報を用いて分析処理プログラムを実行することにより指定された前記分析対象についての指定された前記分類方法による統計分析の分析結果を得る分析処理手段７とを有する。【選択図】  図１
2005258715.tif 000002
【特許請求の範囲】
【請求項１】
医療機関における情報の統計分析の分析対象と分類方法とを指定する分析方法指定手段と、前記医療機関における情報で構成される分析基礎情報を用いて分析処理プログラムを実行することにより指定された前記分析対象についての指定された前記分類方法による統計分析の分析結果を得る分析処理手段とを有することを特徴とする医療検査マネジメントシステム。
【請求項２】
ユーザクライアントからネットワークを介して受信した情報に基づいて医療機関における情報の統計分析の分析対象と分類方法とを指定する分析方法指定手段と、前記医療機関における情報で構成される分析基礎情報を用いて分析処理プログラムを実行することにより指定された前記分析対象についての指定された前記分類方法による統計分析の分析結果を得る分析処理手段と、前記分析結果をユーザクライアントに送信するレポート出力手段とを有することを特徴とする医療検査マネジメントシステム。
【請求項３】
ユーザクライアントと、このユーザクライアントとネットワークを介して接続された分析レポートサーバとを備え、前記分析レポートサーバは、前記ユーザクライアントからネットワークを介して受信した情報に基づいて医療機関における情報の統計分析の分析対象と分類方法とを指定する分析方法指定手段と、前記医療機関における情報で構成される分析基礎情報を用いて分析処理プログラムを実行することにより指定された前記分析対象についての指定された前記分類方法による統計分析の分析結果を得る分析処理手段と、前記分析結果をユーザクライアントに送信するレポート出力手段とを有することを特徴とする医療検査マネジメントシステム。
【請求項４】
前記分析処理手段は、分析対象および分類方法に応じた算出処理プログラムおよび分類処理プログラムを組み合わせて前記分析処理プログラムを構成するようにしたことを特徴とする請求項１ないし３のいずれか１項に記載の医療検査マネジメントシステム。
【請求項５】
前記分析方法指定手段は、分析対象および分類方法の少なくとも一方が異なる複数の分析方法による分析が自動的に実行されるように分析対象と分類方法とを指定できるようにし、前記分析処理手段は、指定された複数の分析方法による統計分析の分析結果を得ることができるようにしたことを特徴とする請求項１ないし３のいずれか１項に記載の医療検査マネジメントシステム。
【請求項６】
医療機関における情報の統計分析の分析対象と分類方法とを指定するステップと、前記医療機関における情報で構成される分析基礎情報を用いて分析処理プログラムを実行することにより指定された前記分析対象についての指定された前記分類方法による統計分析の分析結果を得るステップとを有することを特徴とする医療検査マネジメント方法。
【請求項７】
ユーザクライアントからネットワークを介して受信した情報に基づいて医療機関における情報の統計分析の分析対象と分類方法とを指定するステップと、前記医療機関における情報で構成される分析基礎情報を用いて分析処理プログラムを実行することにより指定された前記分析対象についての指定された前記分類方法による統計分析の分析結果を得るステップと、前記分析結果をユーザクライアントに送信するステップとを有することを特徴とする医療検査マネジメント方法。
【請求項８】
コンピュータを、医療機関における情報の統計分析の分析対象と分類方法とを指定する分析方法指定手段および前記医療機関における情報で構成される分析基礎情報を用いて分析処理プログラムを実行することにより指定された前記分析対象についての指定された前記分類方法による統計分析の分析結果を得る分析処理手段として機能させることを特徴とする医療検査マネジメントプログラム。
【請求項９】
コンピュータを、ユーザクライアントからネットワークを介して受信した情報に基づいて医療機関における情報の統計分析の分析対象と分類方法とを指定する分析方法指定手段、前記医療機関における情報で構成される分析基礎情報を用いて分析処理プログラムを実行することにより指定された前記分析対象についての指定された前記分類方法による統計分析の分析結果を得る分析処理手段および前記分析結果をユーザクライアントに送信するレポート出力手段として機能させることを特徴とする医療検査マネジメントプログラム。
【発明の詳細な説明】
【技術分野】
【０００１】
本発明は、医療機関における各依頼科や部門における保険点数や医用装置の運用状況等の情報を統計的に分析する医療検査マネジメントシステム、医療検査マネジメント方法および医療検査マネジメントプログラムに関する。
【背景技術】
【０００２】
従来、多くの医療機関では、各種検査・治療の実施や装置の運用効率化を図るために、各依頼科や部門における保険点数や医用装置の運用状況が調査され、調査結果を分析することにより経営の改善が行われている。
【０００３】
特に放射線検査部門は、ＣＴ（Computer Tomography）やＭＲＩ（Magnetic Resonance Imaging）といった大型検査機器や造影剤を用いて検査を行うため、運用コストが医療機関の中でも大きい部門である。さらに、放射線検査部門における放射線検査や放射線治療は、各種検査や治療の中でも保険点数が高く、医療機関の大きな収入源でもある。
【０００４】
従って、特に放射線検査部門における医用装置の運用状況や検査の実施状況を分析することにより、医用装置の運用や検査作業を効率化させることが、医療機関の経営改善の上では大きな役割を果たす。
【０００５】
そこで、従来、放射線検査部門では、医用装置の運用状況や検査の実施状況が、全体的に調査され、調査結果を分析することにより効率化が図られている。例えばＸ線の照射録等の検査総数の統計を取ることにより調査が実施される。
【０００６】
一方、医療機関における経営の改善活動を支援するシステムとしては、インターネット回線上のＷＷＷ（World-Wide Web）サーバに医療機関の実績情報をアップロードし、ＷＷＷサーバが医療機関の実績情報をベンチマーク手法によるデータ分析を行って他の医療機関の実績情報との比較を実施して比較結果をレポートとして医療機関に提供するシステムが提案される（例えば特許文献１参照）。
【特許文献１】特開２００１−３１９０４１号公報
【発明の開示】
【発明が解決しようとする課題】
【０００７】
従来の医用装置の運用状況や検査の実施状況を分析する方法は、医用装置の運用状況や検査の実施状況の全体的な統計をとって調査するものである。しかし、医療機関の作業効率化を進めていくためには、検査作業プロセスの改善や医用装置個別の運用の最適化を図ることが必要であり、全体的な分析から、より具体的で詳細な統計、例えば、依頼科別、検査種別等の各項目別な統計を取って段階的に分析することが有効である。
【０００８】
ところが、このような医療機関における各種分析を効率的に行うための適切なツールが存在しないため、現在は、分析の都度、各種項目ごとに情報を収集して統計を取る必要がある。
【０００９】
また、経営状況の異なる各医療機関に対しては、それぞれ医療機関ごとに独自の方法で分析しなければならず、また医療装置の改廃や組織変更等の状況変化があった場合にも、その都度、分析対象や分析方法を変更しなければならなくなる場合がある。
【００１０】
そこで、より効率的に医療機関における各種情報に基づいて統計分析を実施することが可能な統計分析ツールの構築が望まれる。
【００１１】
本発明はかかる従来の事情に対処するためになされたものであり、より効率的に医療機関における各種情報に基づいて統計分析を実施することが可能な医療検査マネジメントシステム、医療検査マネジメント方法および医療検査マネジメントプログラムを提供することを目的とする。
【課題を解決するための手段】
【００１２】
本発明に係る医療検査マネジメントシステムは、上述の目的を達成するために、請求項１に記載したように、医療機関における情報の統計分析の分析対象と分類方法とを指定する分析方法指定手段と、前記医療機関における情報で構成される分析基礎情報を用いて分析処理プログラムを実行することにより指定された前記分析対象についての指定された前記分類方法による統計分析の分析結果を得る分析処理手段とを有することを特徴とするものである。
【００１３】
本発明に係る医療検査マネジメントシステムは、上述の目的を達成するために、請求項２に記載したように、ユーザクライアントからネットワークを介して受信した情報に基づいて医療機関における情報の統計分析の分析対象と分類方法とを指定する分析方法指定手段と、前記医療機関における情報で構成される分析基礎情報を用いて分析処理プログラムを実行することにより指定された前記分析対象についての指定された前記分類方法による統計分析の分析結果を得る分析処理手段と、前記分析結果をユーザクライアントに送信するレポート出力手段とを有することを特徴とするものである。
【００１４】
本発明に係る医療検査マネジメントシステムは、上述の目的を達成するために、請求項３に記載したように、ユーザクライアントと、このユーザクライアントとネットワークを介して接続された分析レポートサーバとを備え、前記分析レポートサーバは、前記ユーザクライアントからネットワークを介して受信した情報に基づいて医療機関における情報の統計分析の分析対象と分類方法とを指定する分析方法指定手段と、前記医療機関における情報で構成される分析基礎情報を用いて分析処理プログラムを実行することにより指定された前記分析対象についての指定された前記分類方法による統計分析の分析結果を得る分析処理手段と、前記分析結果をユーザクライアントに送信するレポート出力手段とを有することを特徴とするものである。
【００１５】
また、本発明に係る医療検査マネジメント方法は、上述の目的を達成するために、請求項６に記載したように、医療機関における情報の統計分析の分析対象と分類方法とを指定するステップと、前記医療機関における情報で構成される分析基礎情報を用いて分析処理プログラムを実行することにより指定された前記分析対象についての指定された前記分類方法による統計分析の分析結果を得るステップとを有することを特徴とする方法である。
【００１６】
また、本発明に係る医療検査マネジメント方法は、上述の目的を達成するために、請求項７に記載したように、ユーザクライアントからネットワークを介して受信した情報に基づいて医療機関における情報の統計分析の分析対象と分類方法とを指定するステップと、前記医療機関における情報で構成される分析基礎情報を用いて分析処理プログラムを実行することにより指定された前記分析対象についての指定された前記分類方法による統計分析の分析結果を得るステップと、前記分析結果をユーザクライアントに送信するステップとを有することを特徴とする方法である。
【００１７】
また、本発明に係る医療検査マネジメントプログラムは、上述の目的を達成するために、請求項８に記載したように、コンピュータを、医療機関における情報の統計分析の分析対象と分類方法とを指定する分析方法指定手段および前記医療機関における情報で構成される分析基礎情報を用いて分析処理プログラムを実行することにより指定された前記分析対象についての指定された前記分類方法による統計分析の分析結果を得る分析処理手段として機能させることを特徴とする方法である。
【００１８】
また、本発明に係る医療検査マネジメントプログラムは、上述の目的を達成するために、請求項９に記載したように、コンピュータを、ユーザクライアントからネットワークを介して受信した情報に基づいて医療機関における情報の統計分析の分析対象と分類方法とを指定する分析方法指定手段、前記医療機関における情報で構成される分析基礎情報を用いて分析処理プログラムを実行することにより指定された前記分析対象についての指定された前記分類方法による統計分析の分析結果を得る分析処理手段および前記分析結果をユーザクライアントに送信するレポート出力手段として機能させることを特徴とする方法である。
【発明の効果】
【００１９】
本発明に係る医療検査マネジメントシステム、医療検査マネジメント方法および医療検査マネジメントプログラムにおいては、より効率的に医療機関における各種情報に基づいて統計分析を実施することができる。
【発明を実施するための最良の形態】
【００２０】
本発明に係る医療検査マネジメントシステム、医療検査マネジメント方法および医療検査マネジメントプログラムの実施の形態について添付図面を参照して説明する。
【００２１】
図１は本発明に係る医療検査マネジメントシステムの実施の形態を示す機能ブロック図である。
【００２２】
医療検査マネジメントシステム１は、分析レポートサーバ２とユーザクライアント３とをＬＡＮ（Local Area Network）やインターネット等のネットワーク４を介して接続した構成である。分析レポートサーバ２は、コンピュータに医療検査マネジメントプログラムを読み込ませることにより、分析方法編集手段５、分析方法指定手段６、分析処理手段７、レポート出力手段８として機能させたものである。
【００２３】
分析レポートサーバ２には、分析方法情報データベース９、算出処理プログラムデータベース１０、分類処理プログラムデータベース１１、分析基礎情報データベース１２、分析結果情報データベース１３が設けられ、ユーザクライアント３には、モニタ１４ａやプリンタ１４ｂ等の出力装置１４および入力装置１５が設けられる。
【００２４】
そして、医療検査マネジメントシステム１には、保険点数や検査数等の医療機関における情報の分析対象と、依頼科別、検査種別等の分類方法とを指定して、統計分析を実行する機能が備えられる。
【００２５】
分析基礎情報データベース１２には、予め医療機関における検査情報の統計分析の基礎となる分析基礎情報が保存される。分析基礎情報としては、例えば、検査があった旨の記録やそのときの検査種、手技、検査に使用した材料、検査の開始時刻および終了時刻、依頼科、担当技師・医師名、患者、検査が実施された場所、装置等の情報が利用できる。
【００２６】
算出処理プログラムデータベース１０には、分析基礎情報を用いて、平均値や合計値等の統計データを統計演算により求める各種算出処理プログラムが保存される。
【００２７】
分類処理プログラムデータベース１１には、指定された分析対象の統計データを指定された分類方法に分類処理するための分類処理プログラムが分類方法ごとに保存される。
【００２８】
分析方法編集手段５は、ユーザクライアント３から受信した情報に基づいて、医療検査マネジメントシステム１により分析可能な分析方法、すなわち分析対象と分類方法の組合せを設定して分析方法情報として分析方法情報データベース９に書き込む機能を有する。また、分析方法編集手段５には、必要に応じて分析方法の設定情報を入力させるための分析方法編集画面情報をユーザクライアント３に送信する機能が備えられる。さらに、分析方法編集手段５には、分析方法情報データベース９に一旦書き込まれて保存された分析方法情報を編集する機能も備えられる。
【００２９】
分析方法指定手段６は、ユーザクライアント３から受信した情報に基づいて、予め分析方法編集手段５により設定されて分析方法情報データベース９に保存された分析方法情報から、分析を実行しようとする分析方法に対応する分析方法情報を抽出して分析処理手段７に与える機能を有する。すなわち、分析方法指定手段６は、ユーザクライアント３から分析方法の指定情報を受信して、これから分析を実行する際の分析方法を指定する機能を有する。また、分析方法指定手段６には、必要に応じて分析方法の指定情報を入力させるための分析方法指定画面情報をユーザクライアント３に送信する機能が備えられる。
【００３０】
さらに、分析方法指定手段６には、分析対象および分類方法の少なくとも一方が異なる複数の分析方法による分析が自動的に連続して実行されるように、複数の分析方法に対応する分析方法情報を分析処理手段７に与える機能を備えることもできる。
【００３１】
分析処理手段７は、分析方法指定手段６から受けた分析方法情報に基づいて、算出処理プログラムデータベース１０および分類処理プログラムデータベース１１からそれぞれ分析対象および分類方法に応じた算出処理プログラムおよび分類処理プログラムを読み込んで組み合わせることにより、分析処理プログラムを構成する機能と、分析基礎情報データベース１２から分析基礎情報を読み込んで分析処理プログラムを実行することにより分析結果を得る機能を有する。また、分析処理手段７は、得られた分析結果を分析結果情報として分析結果情報データベース１３に書き込む機能を有する。
【００３２】
さらに、分析処理手段７は、複数の分析方法による分析が自動的に連続して実行されるように分析方法情報が指定されている場合には、既に得られた単一あるいは複数の分析結果情報に応じて次の分析方法による分析を実行するための分析処理プログラムを構成して実行することにより分析結果を得る機能を有する。
【００３３】
レポート出力手段８は、分析結果情報データベース１３から分析結果情報を読み込んで、ユーザクライアント３に送信する機能を有する。
【００３４】
次に、医療検査マネジメントシステム１の作用について説明する。
【００３５】
図２は、図１に示す医療検査マネジメントシステム１により医療機関における各種情報に基づいて統計分析を実施する際の手順の一例を示すフローチャートであり、図中Ｓに数字を付した符号はフローチャートの各ステップを示す。
【００３６】
まずステップＳ１において、分析方法編集手段５が医療検査マネジメントシステム１により分析可能な医療機関における医用装置の運用状況や検査の実施状況等の各種情報の分析方法、すなわち分析対象と分類方法の組合せを設定するための分析方法編集画面情報をユーザクライアント３にネットワーク４を介して送信する。そして、予めユーザはユーザクライアント３の入力装置１５に分析方法の設定情報を入力して、ネットワーク４を介して分析レポートサーバ２に送信する。
【００３７】
例えば、分析対象を保険点数、分類方法を依頼科別として設定し、保険点数の統計を依頼科別にとって分析できるようにすることができる。
【００３８】
このため、分析方法編集手段５は、ユーザクライアント３から送信された分析方法の設定情報を受信して、分析方法情報データベース９に書き込む。そして、分析方法情報データベース９には、医療検査マネジメントシステム１により分析可能な各種分析方法が分析方法情報として保存される。
【００３９】
次に、ステップＳ２において、統計分析を実行する際には、ユーザがユーザクライアント３の入力装置１５から統計分析の対象となる分析方法、すなわち分析対象と、分析対象の分類方法の指定情報を入力する。そのために予め分析方法指定手段６が、分析方法を指定するための分析方法指定画面情報をユーザクライアント３に与える。このため、分析方法指定画面がユーザクライアント３のモニタ１４ａに表示される。
【００４０】
図３は、図１に示す医療検査マネジメントシステム１により作成されてユーザクライアント３に表示される分析方法指定画面の一例を示す図である。
【００４１】
分析方法指定画面は、例えば図３に示すように分析方法を指定するためのツリー表示部分を有する。すなわち、ユーザはツリー表示部から分析対象と分類方法とを指定することができる。例えばツリー表示部において、ノードを選択すると分析対象が指定できるようにされる。図３は、分析対象として保険点数を指定し、分類方法として依頼科別を指定した例である。
【００４２】
この他、例えば、患者別、技師別、検査種別等の分類方法を指定することができ、依頼科別を指定した場合には、さらに患者別、検査種別、保険点数詳細等の詳細項目を分類方法として指定できる。
【００４３】
また、必要に応じて、付随情報が表示される。例えば、分析名称がＮａｍｅ  ｏｆ  Ａｎａｌｙｓｉｓの欄に「Ｉｎｃｏｍｅ  Ａｎａｌｙｓｉｓ」と表示される。また、指定された分析対象が、Ｔａｒｇｅｔ  ｏｆ  Ａｎａｌｙｓｉｓの欄に「保険点数」と表示され、分類方法がＭｅｔｈｏｄ  ｏｆ  Ｇｒｏｕｐｉｎｇの欄に「依頼科別」と表示される。
【００４４】
さらに、分析方法の指定において、分類項目とされる患者別や技師別等の分類グループの数が多く、全ての分類グループを分析結果として表示する必要がないような場合のために、表示させる分類グループの数を設定することができるようにすることもできる。この場合、例えば表示させる分類グループを標本数が一定数以上とする方法や標本数が多い順に一定数の分類グループを表示させる方法を用いることができる。
【００４５】
図３は、標本数が多い順に分類グループを一定割合だけ表示し、残りの分類グループは「その他」として分類するようにした例である。すなわち、Ｇｒｏｕｐｉｎｇ  Ｌｉｍｉｔの欄に数値Ａを入力すると、標本数が上位Ａ％までの分類グループが表示され、残りの分類グループは「その他」として分類される。尚、図３ではＡ＝１００として設定されている。
【００４６】
また、Ｌｏｗ  Ｌｅｖｅｌ  Ｇｒｏｕｐｉｎｇの欄には、チェックボックスを付したリストが表示され、指定された分析対象あるいは分類方法の詳細分類を設定することができる。図３では、分類方法を依頼科別とした場合に、患者別、技師別、検査種別等の詳細分類が設定可能であり、チェックボックスにチェックすることにより患者別、検査種別が実際に分析が必要な詳細分類として指定された例である。
【００４７】
尚、分析方法指定画面は、図３の例に限らず、各種設定を複数の画面で行えるようにしたり、ツリー表示の代わりに表形式で分析方法を指定できるようにしてもよい。
【００４８】
このような分析方法指定画面により、ユーザはユーザクライアント３から分析方法の指定情報を入力し、分析方法の指定情報はネットワーク４を介して分析レポートサーバ２に送信される。
【００４９】
ただし、専用の分析方法指定画面を用いずに、ユーザクライアント３から汎用の編集手段により分析方法の指定情報を設定して分析レポートサーバ２に送信するようにしてもよい。
【００５０】
さらに、分析方法の指定情報を、単一の分析方法のみならず複数の分析方法の組合せとすることもできる。例えば、保険点数を依頼科別に分類して統計をとり、最も保険点数の多い依頼科の保険点数を分析対象として、装置別に統計をとるように分析方法を指定することもできる。すなわち、複数の分析方法による分析を段階的に詳細化して進めるように分析方法を指定するプログラムを作成して実行することができる。
【００５１】
この場合、複数の分析方法を指定するプログラムをユーザクライアント３で作成して分析レポートサーバ２に送信するようにしてもよく、また複数の分析方法を指定するプログラムを作成するための情報のみをユーザクライアント３から分析レポートサーバ２に送信するようにしてもよい。
【００５２】
さらに、分析レポートサーバ２の分析方法指定手段６は、ネットワーク４を介してユーザクライアント３から分析方法の指定情報を受け取り、分析方法の指定情報に対応する分析方法情報を分析方法情報データベース９から抽出して分析処理手段７に与える。
【００５３】
次に、ステップＳ３において、分析処理手段７は、分析方法指定手段６から受けた分析方法情報に基づいて、算出処理プログラムデータベース１０および分類処理プログラムデータベース１１から分析方法情報に対応する算出処理プログラムおよび分類処理プログラムを読み込んで組み合わせることにより分析方法に応じた分析処理プログラムを構成する。例えば、分析方法情報が、分析対象を検査数、分類方法を検査種別とした情報である場合には、検査数の統計データを算出するための算出処理プログラムと検査数の統計データを検査種別に分類する分析処理プログラムとから分析処理プログラムが構成される。
【００５４】
次に、ステップＳ４において、分析処理手段７は、分析方法情報に対応する分析の基礎となる医療機関における分析基礎情報を分析基礎情報データベース１２から読み込んで、分析処理プログラムを実行することにより、分析を実行する。分析方法情報が、分析対象を検査数、分類方法を検査種別とした情報である場合には、検査があった旨の記録と検査種とを関連付けた検査情報が分析基礎情報データベース１２から分析基礎情報として読み込まれ、検査の数が検査種ごとに加算される。
【００５５】
この結果、分析結果として検査種別の検査数の統計データが得られる。分析処理手段７は、得られた分析結果を分析結果情報として分析結果情報データベース１３に書き込む。
【００５６】
次に、ステップＳ５において、分析処理手段７は、次の分析方法による分析が分析方法情報として指定されているか否かを判定する。
【００５７】
そして、未だ分析結果が得られていない分析方法情報が指定されている場合には、再びステップＳ３およびステップＳ４において次の分析方法情報に対応する算出処理プログラムおよび分類処理プログラムが組み合わされて分析処理プログラムが構成され、構成された分析処理プログラムが実行されることにより分析結果情報が得られて分析結果情報データベース１３に書き込まれる。
【００５８】
この際、次の分析方法情報に対応する新たな分析にあたって、分析方法情報に対応する分析基礎情報の他、既に得られた過去の分析結果情報が参照される。
【００５９】
さらに、指定された全ての分析が完了して分析結果が得られるまで繰り返し、ステップＳ３およびステップＳ４において分析方法情報に応じた分析が自動的に実行される。この結果、分析結果情報データベース１３には、各分析方法による分析結果情報が蓄積される。
【００６０】
そして、このようにして、ある分析方法による分析結果情報を参照してより詳細な分析方法による分析を実行することができる。つまり、全体的な分析からより具体的で詳細な分析へと、段階的に進めることができる。
【００６１】
図４は、図１に示す医療検査マネジメントシステム１により全体的な分析から詳細な分析へと進める際に指定される分析方法の一例を示す概念図である。
【００６２】
ユーザは、例えば図４（ａ）に示すように分析対象を検査数、分類方法を検査種別としてとして分析方法を指定し、円グラフで示す分析結果を得ることができる。仮に図４（ａ）の円グラフに示すように、ＣＴによる検査数が最も多い場合には、図４（ｂ）に示すように分析対象をＣＴによる検査数、分類方法を依頼科別とした分析を実行することにより、円グラフに示すような、より詳細な分析結果を得ることができる。
【００６３】
尚、複数の分析を分析方法を指定するプログラムによらずに、ステップＳ２において、別途ユーザクライアント３からの情報入力により図４（ｂ）に示すように分析対象をＣＴによる検査数、分類方法を依頼科別として指定することもできる。
【００６４】
そして、ステップＳ５において、全ての分析が完了したと判定された場合には、ステップＳ６において、レポート出力手段８が分析結果情報データベース１３から各分析結果情報を読み込んでネットワーク４を介してユーザクライアント３に送信する。このため、ユーザクライアント３のモニタ１４ａには、分析結果情報が表示される。そして、ユーザはモニタ１４ａに表示された分析結果情報を確認することにより、医療機関における医用装置の運用状況や検査の実施状況を把握することができる。また、分析結果情報はプリンタ１４ｂで印刷することもできる。
【００６５】
ただし、全ての分析が完了した後に分析結果情報を表示させずに、各分析結果が得られる度に、分析結果情報をユーザクライアント３に送信して表示させてもよい。
【００６６】
図５は、図１に示す医療検査マネジメントシステム１により、分析対象を保険点数、分類方法を依頼科別とした分析により得られた分析結果の一例を示す図である。
【００６７】
ユーザクライアント３に表示される分析結果情報は、例えば図５に示すように表および棒グラフで表示されるため、ユーザは視覚的に、より明快に分析結果を確認することができる。図５では、２００１年の月ごとの保険点数を依頼科別に統計データとして表示した例である。このため、表には行方向に保険点数の多い順に依頼科が、列方向に期間がそれぞれ表示され、通年で腎臓科が最も保険点数が多いことが確認できる。
【００６８】
さらに表に示された保険点数が棒グラフとしても表示される。棒グラフの横軸は、期間を示し縦軸は、保険点数を示している。このため、保険点数の総数の月ごとの推移を確認することもできる。
【００６９】
図６は、図５に示す分析結果を参照して、より詳細な分析方法を指定して得られた分析結果の一例を示す図である。
【００７０】
図５において、腎臓科に着目し、分析対象を腎臓科の保険点数とし、分類方法を検査種別とすると、例えば図６に示すような分析結果情報が得られる。図６も図５と同様に表および棒グラフで表示されるため、ユーザは視覚的に、より明快に分析結果を確認することができる。図６では、２００１年における月ごとの腎臓科の保険点数が検査種別に統計データとして表示される。このため、表には行方向に保険点数の多い順に検査種別が、列方向に期間がそれぞれ表示され、通年でシンチグラム検査が最も保険点数が多いことが確認できる。
【００７１】
さらに表に示された腎臓科の保険点数が横軸を期間、縦軸を腎臓科の保険点数とした棒グラフでも表示されため、ユーザは腎臓科の保険点数の総数の月ごとの推移を確認することもできる。
【００７２】
尚、分析結果情報として表示させる画面は複数であってもよく、逆に複数の分析結果を共通の画面に表示してもよい。また、グラフや表を表示するか否かも任意であり、グラフはレーダーチャート、折れ線グラフ等の任意のグラフとすることができる。
【００７３】
以上のような医療検査マネジメントシステム１によれば、予め記録された医療機関における分析基礎情報を用いて、目的や用途に応じて、任意の分析方法を指定して統計分析を行うことができるため、全体的な分析からより詳細な分析へと段階的に分析を進めることができる。このため、より効率的に医療機関における各種情報に基づいて統計分析を実施することができる。
【００７４】
また、経営状況の異なる各医療機関において、独自の分析方法により分析を実施したい場合や、医療装置の改廃や組織変更等の状況変化があった場合でも、分析方法を状況に追従させて分析を実施することができる。
【００７５】
尚、医療検査マネジメントシステム１の一部の構成要素を省略して構成してもよい。例えば、分析処理プログラムを算出処理プログラムと分類処理プログラムとを組み合わせて構成するようにすれば、保存すべきプログラムの数や容量を低減させることができるが、算出処理プログラムデータベース１０と分類処理プログラムデータベース１１とを設ける代わりに、各分析方法に対応する分析処理プログラムを保存した分析処理プログラムデータベースを設けて医療検査マネジメントシステム１を構成し、分析処理プログラムの構成処理を省略してもよい。
【００７６】
また、ネットワーク４を利用せずにユーザクライアント３を分析レポートサーバ２と一体化してもよい。
【００７７】
また、分析結果情報をＥ−ｍａｉｌやＦＡＸ等の通信手段でユーザクライアント３やその他の通信機器に送信するようにしてもよい。
【図面の簡単な説明】
【００７８】
【図１】本発明に係る医療検査マネジメントシステムの実施の形態を示す機能ブロック図。
【図２】図１に示す医療検査マネジメントシステムにより医療機関における各種情報に基づいて統計分析を実施する際の手順の一例を示すフローチャート。
【図３】図１に示す医療検査マネジメントシステムにより作成されてユーザクライアント３に表示される分析方法編集画面の一例を示す図。
【図４】図１に示す医療検査マネジメントシステムにより全体的な分析から詳細な分析へと進める際に指定される分析方法の一例を示す概念図。
【図５】図１に示す医療検査マネジメントシステムにより、分析対象を保険点数、分類方法を依頼科別とした分析により得られた分析結果の一例を示す図。
【図６】図５に示す分析結果を参照して、より詳細な分析方法を指定して得られた分析結果の一例を示す図。
【符号の説明】
【００７９】
１  医療検査マネジメントシステム
２  分析レポートサーバ
３  ユーザクライアント
４  ネットワーク
５  分析方法編集手段
６  分析方法指定手段
７  分析処理手段
８  レポート出力手段
９  分析方法情報データベース
１０  算出処理プログラムデータベース
１１  分類処理プログラムデータベース
１２  分析基礎情報データベース
１３  分析結果情報データベース
１４  出力装置
１４ａ  モニタ
１４ｂ  プリンタ
１５  入力装置
【図１】
2005258715.tif 000003
【図２】
2005258715.tif 000004
【図３】
2005258715.tif 000005
【図４】
2005258715.tif 000006
【図５】
2005258715.tif 000007
【図６】
2005258715.tif 000008